【手続補正書】
【提出日】平成16年3月24日(2004.3.24)
【手続補正１】
【補正対象書類名】特許請求の範囲
【補正対象項目名】全文
【補正方法】変更
【補正の内容】
【特許請求の範囲】
【請求項１】
エネルギ入力としてＤＣ電力を受け取り、出力電圧を有するＡＣ電力出力をＡＣ電力網へ送出するために供給する制御電流源のための制御システムであって、
ａ．前記制御電流源に接続可能であり、前記制御電流源を制御する入力として、前記ＡＣ電力出力における電圧を表す電圧フィードバック信号を供給する電圧信号デバイスと、
ｂ．前記制御電流源からの前記ＡＣ電力出力の特性の関数としてインピーダンス電流信号を生成するインピーダンス電流調整器と
を備える制御システム。
【請求項２】
請求項１に記載の制御システムであって、前記制御電流源を更に含み、前記制御電流源が、入力として前記電圧フィードバック信号を受け取るように前記電圧信号デバイスに接続される、制御システム。
【請求項３】
請求項２に記載の制御システムであって、前記制御電流源が電力コンバータである、制御システム。
【請求項４】
請求項１に記載のシステムであって、
ａ．実電流コマンド信号を提供する第１供給源と、
ｂ．無効電流コマンド信号を提供する第２供給源と、
ｃ．前記インピーダンス電流信号、前記実電流コマンド信号、及び前記無効電流コマンド信号を加算して合成電流信号を生成する加算ユニットと
を更に含むシステム。
【請求項５】
ＡＣ電力出力を供給するＡＣ電力網に接続される電力コンバータの動作を制御する方法であって、
ａ．前記電力コンバータからの出力電圧を表す基準ＡＣ電圧信号を提供するステップと、
ｂ．前記基準ＡＣ電圧信号に基づいたインピーダンス電流コマンド信号を生成するステップと、
ｃ．前記インピーダンス電流コマンド信号に基づいて前記電力コンバータの動作を制御する電圧コマンド信号を生成し、前記電力コンバータへ前記電圧コマンド信号を供給するステップと
を含む方法。
【請求項６】
請求項５に記載の方法であって、
ａ．実電流コマンド信号を提供するステップと、
ｂ．無効電流コマンド信号を提供するステップと、
ｃ．前記実電流コマンド信号、前記無効電流コマンド信号、及び前記インピーダンス電流信号を合成して合成電流コマンド信号を生成するステップと、
ｄ．前記合成電流コマンド信号に基づいて前記電圧コマンド信号を生成するステップと
を更に含む方法。
【請求項７】
分散型発電ネットワークであって、
ａ．ＡＣ電力を供給するＡＣ電力網と、
ｂ．ＤＣ電力を供給するＤＣ電力源と、
ｃ．前記ＡＣ電力網及び前記ＤＣ電力源に接続され、前記ＤＣ電力をＡＣ電力に変換する電力コンバータと、
ｄ．前記電力コンバータに接続され、前記電力コンバータの動作を制御する電圧コマンド信号を供給する制御システムであって、（ｉ）前記ＤＣ電力源により供給される前記ＡＣ電力における電圧を表す電圧フィードバック信号と、（ｉｉ）前記ＤＣ電力源により供給されるＡＣ電力の関数としてのインピーダンス電流信号とを生成し、更に、前記電圧コマンド信号を、前記電圧フィードバック信号及び前記インピーダンス電流信号に基づいて生成する制御システムと
を備えるネットワーク。
【請求項８】
請求項７に記載のネットワークであって、
ａ．基準ＡＣ電圧信号を提供する第１供給源と、
ｂ．実電流コマンド信号を提供する第２供給源と、
ｃ．無効電流コマンド信号を提供する第３供給源とを更に含み、
ｄ．前記制御システムが、前記電圧コマンド信号を、前記基準ＡＣ電圧信号、前記実電流コマンド信号、及び前記無効電流コマンド信号の関数として生成する、
ネットワーク。
【請求項９】
無停電電源装置であって、
ａ．ＡＣ電力を供給するＡＣ電力網と、
ｂ．ＤＣ電力を供給するＤＣ電力源であって、前記ＤＣ電力を生成するのに燃料を直接には使用しないＤＣ電力源と、
ｃ．前記ＡＣ電力網及び前記ＤＣ電力源に接続され、前記ＤＣ電力をＡＣ電力に変換する電力コンバータと、
ｄ．前記電力コンバータに接続され、前記電力コンバータの動作を制御する電圧コマンド信号を供給する制御システムであって、（ｉ）前記ＤＣ電力源により供給される前記ＡＣ電力における電圧を表す電圧フィードバック信号と、（ｉｉ）前記ＤＣ電力源により供給されるＡＣ電力の関数としてのインピーダンス電流信号とを生成し、更に、前記電圧コマンド信号を、前記電圧フィードバック信号及び前記インピーダンス電流信号に基づいて生成する制御システムと
を備える無停電電源装置。
【請求項１０】
請求項９に記載の無停電電源装置であって、負荷が前記無停電電源装置に接続され、前記ＡＣ電力網と前記負荷とを選択的に接続するスイッチと、前記スイッチの動作を制御するコントローラとを更に含む無停電電源装置。
【請求項１１】
分散型発電ネットワークであって、
ａ．分散型発電ＡＣ電力ネットワークにおいて互いに接続された複数の電力源と、
ｂ．少なくともいくつかが並列に接続され、それぞれが前記複数の電力源の１又は複数のものに接続される複数の電力コンバータと、
ｃ．それぞれが前記複数の電力コンバータの少なくとも１つに接続される複数の制御システムとを備え、
ｄ．前記複数の制御システムのそれぞれが、それぞれの前記制御システムに接続された別の制御システムを必要とせずに、前記複数の電力コンバータの前記少なくとも１つを制御する、
ネットワーク。
【請求項１２】
請求項１１に記載のネットワークであって、更に、前記複数の制御システムのそれぞれが、前記ＡＣ電力ネットワークにおけるＡＣ電力の特性の関数としてインピーダンス電流信号を生成するインピーダンス電流調整器を含むネットワーク。
【請求項１３】
無停電電源装置であって、
ａ．電力を供給する複数の制御電流源を有する分散型発電ＡＣ電力網であって、前記複数の制御電流源が並列に接続される分散型発電ＡＣ電力網と、
ｂ．前記制御電流源の動作を制御する複数の制御システムであって、該複数の制御システムのそれぞれが、それぞれの前記制御システムへ接続される別の制御システムを必要とせずに、少なくとも１つの前記制御電流源を制御することができる、複数の制御システムと、
ｃ．前記分散型発電ＡＣ電力網を負荷に選択的に接続するスイッチと
を備える無停電電源装置。
【請求項１４】
請求項１３に記載の無停電電源装置であって、前記複数の制御電流源の少なくともいくつかが、前記電力の生成に燃料を直接に使用しない、無停電電源装置。
【請求項１５】
請求項１３に記載の無停電電源装置であって、更に、前記複数の制御システムのそれぞれが、ＡＣ電力設備網内のＡＣ電力の特性の関数としてインピーダンス電流信号を生成するインピーダンス電流調整器を含む、無停電電源装置。
【請求項１６】
ＡＣ電力網であって、
ａ．ＡＣ電力グリッドと、
ｂ．前記ＡＣ電力グリッドに接続された分散型発電ＡＣ電力網であって、
ｉ．互いに並列に接続され、電力を供給する複数の制御電流源と、
ｉｉ．前記制御電流源の動作を制御する複数の制御システムであって、該複数の制御システムのそれぞれが、少なくとも１つの前記制御電流源の動作を、それへ接続された別の制御システムを必要とせずに制御する、複数の制御システムと
を含む分散型発電ＡＣ電力網と
を備えるＡＣ電力網。
【請求項１７】
ＡＣ電力発電網における非線形成分を補正するシステムであって、
ａ．非線形成分をもつ出力電力をそれぞれが供給する複数の電力源と、
ｂ．前記複数の電力源により供給される電力を取り扱う複数の制御システムであって、該複数の制御システムが少なくともいくつかの前記非線形成分を共働して取り除く、複数の制御システムと
を備えるシステム。
【請求項１８】
請求項１７に記載のシステムであって、前記非線形成分が高調波を含み、前記複数の制御システムが、少なくともいくつかの前記高調波を共働して取り除く、システム。